(57)【要約】【課題】変換前と変換後の画像データを確認可能にしてユーザの利便性を向上させる画像処理装置を提供する。【解決手段】撮像手段３３により得られた画像データに変形処理を行う画像補正手段３６、３７と、画像補正手段３６、３７により画像データに変形処理が施された場合に変換前と変換後の画像データを所定形態で独立した画像データファイルとして記録媒体３９に記録させる記録制御手段４３と、を備え、記録制御手段４３は画像データを記録媒体３９に格納する際に変換前と変換後の画像データを異なるフォルダに格納する。【選択図】  図４
2008099147.tif 000002
【特許請求の範囲】
【請求項１】
画像データに画像処理を施す画像処理装置において、画像データの変換処理を行う画像補正手段と、該画像補正手段により画像データの変換処理を施す場合に、変換前の画像データと、変換後の画像データとを所定形態で独立した画像データファイルとして記録媒体に記録させる記録制御手段と、を備え、前記記録制御手段は、前記画像データを前記記録媒体に格納する際に変換前と変換後の画像データを異なるフォルダに格納することを特徴とする画像処理装置。
【請求項２】
変換後の画像データが格納されている前記フォルダを再生対象外のフォルダとすることを特徴とする請求項１記載の画像処理装置。
【請求項３】
前記画像データを前記記録媒体に格納する際、変換前と変換後のファイル名を同一のファイル名とすることを特徴とする請求項１記載の画像処理装置。
【請求項４】
前記画像データを前記記録媒体に格納する際、変換前と変換後のファイル名の一部を異ならせることを特徴とする請求項１記載の画像処理装置。
【請求項５】
画像データに画像処理を施す画像処理方法において、画像データの変換処理を行う画像補正ステップと、該画像補正ステップにより画像データの変換処理を施す場合に、変換前の画像データと、変換後の画像データとを所定形態で独立した画像データファイルとして記録媒体に記録させる記録制御ステップとを含み、前記記録制御ステップは、前記画像データを前記記録媒体に格納する際に、変換前と変換後の画像データを異なるフォルダに格納することを特徴とする画像処理方法。
【請求項６】
変換後の画像データが格納されている前記フォルダを再生対象外のフォルダとすることを特徴とする請求項５記載の画像処理方法。
【請求項７】
前記画像データを記録媒体に格納する際、変換前と変換後のファイル名を同一のファイル名とすることを特徴とする請求項５記載の画像処理方法。
【請求項８】
前記画像データを前記記録媒体に格納する際、変換前と変換後のファイル名の一部を異ならせることを特徴とする請求項５記載の画像処理方法。
【発明の詳細な説明】
【技術分野】
【０００１】
本発明は、デジタルカメラ等の記録媒体に格納される画像データを管理する画像処理装置及び画像処理方法に関するものである。
【背景技術】
【０００２】
近年、ＣＣＤセンサ等の撮像素子により被写体を撮像してデジタル画像データに変換し、このデジタル画像データをメモリカード等の記録媒体に記録するデジタルカメラが急速に普及している。
かかるデジタルカメラでは、高機能化・高性能化が進んでおり、例えば、撮影された画像の加工・編集を行うことができるレタッチ機能を有するものも知られている（例えば、特許文献１乃至３参照）。
レタッチ機能には、明るさ、コントラスト、ガンマ補正、色相、彩度など色調を補正するもの、シャープさ、ぼかし、エンボス加工などの表現を補正するものがある。その他にも、画像の上下・左右反転、垂直・水平傾斜などを調整・補正する変形処理を行うことができるものもある。
【０００３】
特許文献１では、変形処理の一例として、斜めから撮影した被写体を、正面から撮影したように補正する処理方法が示されている。この処理方法は、掲示板や展示パネル、名刺、会議場におけるホワイトボードなど、様々な被写体の撮影に活躍が期待されている。
特許文献２では、パソコンを必要とせずに所望の合成画像データを得ることができるデジタルカメラが、そして特許文献３では、データ転送時の操作性を低下させることなく画像データ等のファイル管理の容易化を図ることができる画像データ保存方法、画像データ保存システム及びそのプログラムが開示されている。
【特許文献１】特開平９−２８９６１１号公報
【特許文献２】特開２００１−３０９２１２公報
【特許文献３】特開２００３−２８３９７５公報
【発明の開示】
【発明が解決しようとする課題】
【０００４】
しかしながら、撮影した画像データに変形処理を施した場合、変換前と変換後の画像データを確認したいというユーザの要求が多く聞かれ、この要求を満たす対策が望まれている。
そこで、本発明の目的は、上述した実情を考慮して、変換前と変換後の画像データを確認可能にしてユーザの利便性を向上させる画像処理装置及び画像処理方法を提供することにある。
【課題を解決するための手段】
【０００５】
上記の課題を解決するために、請求項１に記載の発明は、画像データに画像処理を施す画像処理装置において、画像データの変換処理を行う画像補正手段と、該画像補正手段により画像データの変換処理を施す場合に、変換前の画像データと、変換後の画像データとを所定形態で独立した画像データファイルとして記録媒体に記録させる記録制御手段と、を備え、前記記録制御手段は、前記画像データを前記記録媒体に格納する際に変換前と変換後の画像データを異なるフォルダに格納することを特徴とする。
また請求項２に記載の発明は、変換後の画像データが格納されている前記フォルダを再生対象外のフォルダとする請求項１記載の画像処理装置を特徴とする。
また請求項３に記載の発明は、前記画像データを前記記録媒体に格納する際、変換前と変換後のファイル名を同一のファイル名とする請求項１記載の画像処理装置を特徴とする。
また請求項４に記載の発明は、前記画像データを前記記録媒体に格納する際、変換前と変換後のファイル名の一部を異ならせる請求項１記載の画像処理装置を特徴とする。
【０００６】
また請求項５に記載の発明は、画像データに画像処理を施す画像処理方法において、画像データの変換処理を行う画像補正ステップと、該画像補正ステップにより画像データの変換処理を施す場合に、変換前の画像データと、変換後の画像データとを所定形態で独立した画像データファイルとして記録媒体に記録させる記録制御ステップとを含み、前記記録制御ステップは、前記画像データを前記記録媒体に格納する際に、変換前と変換後の画像データを異なるフォルダに格納することを特徴とする。
また請求項６に記載の発明は、変換後の画像データが格納されている前記フォルダを再生対象外のフォルダとする請求項５記載の画像処理方法を特徴とする。
また請求項７に記載の発明は、前記画像データを記録媒体に格納する際、変換前と変換後のファイル名を同一のファイル名とする請求項５記載の画像処理方法を特徴とする。
また請求項８に記載の発明は、前記画像データを前記記録媒体に格納する際、変換前と変換後のファイル名の一部を異ならせる請求項５記載の画像処理方法を特徴とする。
【発明の効果】
【０００７】
本発明によれば、記録制御手段が画像データを記録媒体に格納する際に、変換前と変換後の画像データを異なるフォルダに記録するよう制御することで、変換前と変換後の画像データが混在することなく、変換前と変換後の画像データを確認可能になる。またファイル管理が容易になる。
【発明を実施するための最良の形態】
【０００８】
以下、図面を参照して、本発明の実施の形態を詳細に説明する。図１は本発明の実施の形態である画像撮影装置としてデジタルカメラを示す前面概略図である。図２は図１のデジタルカメラを背面からみた概略図である。図３は図１のデジタルカメラを上部から見た概略図である。
図１乃至図３を参照して、デジタルカメラＡの上部から見た外観図には、サブＬＣＤ１、レリーズシャッタボタン２、モードダイヤルボタン３が示してある。このモードダイヤルボタン３は色々な撮影モード、再生モードなどの切り換え、サブＬＣＤ１は残枚数、バッテリーエンドなどを表示する。
【０００９】
デジタルカメラＡの図１の前面から見た図では、レリーズシャッタボタン２、モードダイヤルボタン３、電池を入れるための電池蓋及びＳＤなどの外部メモリカードをカメラ本体に格納するための蓋４、レンズを格納している鏡胴ユニット５、リモコン受光部６、オートフォーカスを実現するために被写体までの距離を測定する測距ユニット７、ストロボ発光部８、光学ファインダ９などを示している。
デジタルカメラＡの図２の背面からみた概略図では、レリーズシャッタボタン２、モードダイヤルボタン３、ＡＦ（オートフォーカス）で焦点距離があったことをユーザに知らせるためのＡＦ  ＬＥＤ１０、ストロボ充電完了をユーザに知らせるためのＬＥＤ１１、光学ファインダ９、ズームをワイド（Ｗｉｄｅ）方向あるいは遠近（Ｔｅｌｅ）方向に動作させるための、ズームスイッチ１２及びズームスイッチ１３を示している。
また、図２の背面からみた概略図では、本体の電源をオン／オフするための電源スイッチ１４、モニタリング画像の表示を行ない、かつ設定画面を表示するためのＬＣＤモニタ１５、セルフタイマ／削除スイッチ１６を示している。
さらに、図２には、メニュースイッチ１７、上／ストロボスイッチ１８、右スイッチ１９、左／画像確認スイッチ２０、下／マクロスイッチ２１、ディスプレイスイッチ２２、ＯＫ（オーケー）スイッチ２３を示している。
【００１０】
図４は本発明の実施の形態であるデジタルカメラの装置システムを示すブロック図である。図４に示すデジタルカメラの装置システムは、レンズ３１、オートフォーカスを含む機械的な機構３２、ＣＣＤ３３、ＣＤＳ回路３４、Ａ／Ｄ変換器３５、デジタル信号処理回路３６、圧縮／伸長回路３７、ＤＲＡＭ３８、メモリカード３９、ＬＣＤ４０、ドライバ４１、ＳＧ（信号発生器）４２を含んでいる。
また、ＳＧ（信号発生器）４２を制御するＣＰＵ４３、操作部４４、ストロボ４５、マイク４６、アンプ／フィルタ（ＡＭＰ／ＦＩＬＴＥＲ）４７、Ｄ／Ａ変換器４８、音声データ圧縮／伸長回路４９、Ａ／Ｄ変換器５０、アンプ／フィルタ（ＡＭＰ／ＦＩＬＴＥＲ）５１、ＯＳＤ５２、及び電源装置部であるＤＣ／ＤＣコンバータ（ＵＳＢブロック）５５、電池（ＵＳＢコネクタ）５６、ＡＣアダプタ（シリアルブロック）５７、シリアルドライバ回路５８、ＲＳ−２３２Ｃコネクタ５９等により構成されている。ＣＰＵ４３はＲＡＭ５３を含み、ＣＰＵバス（ＣＰＵＢＵＳ）５４を介して種々の構成要素と接続されている。
レンズユニットは、レンズ３１、オートフォーカス（ＡＦ）・絞り・フィルタ部を含む機械的機構３２を含み、機械的機構３２のメカニカルシャッタは２つのフィールドの同時露光を行う。
【００１１】
ＣＣＤ（電荷結合素子）３３は、レンズユニットを介して入力した映像を電気信号（アナログ画像データ）に変換する。ＣＤＳ（相関２重サンプリング）回路３４は、ＣＣＤ３３から出力される電気信号のノイズを小さくする。また、Ａ／Ｄ変換器３５は、ＣＤＳ回路３４を介してＣＣＤ３３から入力したアナログ画像データをデジタル画像データに変換する。
即ち、ＣＣＤ３３の出力信号は、ＣＤＳ回路３４を通じてＡ／Ｄ変換器３５で最適なサンプリング周波数（例えば、ＮＴＳＣ信号のサブキャリア周波数の整数倍）にてデジタル信号に変換される。
また、デジタル信号処理回路３６は、Ａ／Ｄ変換器３５から入力した画像データを輝度データと色差データに分けて各種処理、補正、及び画像圧縮／伸長のためのデータ処理を施す。
【００１２】
画像圧縮／伸長回路３７は、ＪＰＥＧに準拠しており、画像データを直交変換・ハフマン符号化して圧縮する。また、画像圧縮／伸長回路３７は、画像データをハフマン復号化・逆直交変換して伸長する。
一方、音声は、マイク４６等の音声−電気信号変換素子により電気信号に変換されて音声データとなり、アンプ／フィルタ４７により増幅される。その後必要帯域にカットオフされ、Ｄ／Ａ変換器４８により所定帯域の２倍以上のサンプリング周波数でデジタル音声データに変換される。さらに、このデジタル音声データはデータ圧縮・伸長部４９により圧縮・符号化処理される。
ＤＲＡＭ３８は圧縮処理された画像データを一時的に格納する。圧縮された画像データは画像データファイルとして、圧縮された音声データは音声データファイルとしてメモリカード３９に記録される。
【００１３】
また、ＬＣＤ４０には、メモリカード３９に記録されている画像データに応じた画像が表示される。さらに、ＬＣＤ４０には、設定されているデジタルカメラの状態、例えば、設定されているモード表示、エラー表示等が行われる。操作部４４は、機能選択、撮影指示、及びその他の各種設定を外部から行うための操作キーを備えている。
ＣＰＵ４３は、操作部４４からの指示、もしくは図示しないリモコンによる外部動作指示に応じて、図示しないＲＯＭに格納された制御プログラムに従って、デジタルカメラの装置システムの各部の動作を制御する。
例えば、ＣＰＵ４３は、メモリカード３９への画像データ、及び音声データの記録動作の制御、メモリカード３９に記録されている画像データ、及び音声データの再生動作の制御を行う。なお、図４にあって、電源装置部である、ＤＣ／ＤＣコンバータ（ＵＳＢブロック）５５に電池（ＵＳＢコネクタ）５６及びＡＣアダプタ（シリアルブロック）５７が接続される構成となっている。
【００１４】
次に、デジタルカメラの画像データの記録動作を説明する。まず、レンズ３１を介して入力される被写体像は、ＣＣＤ３３で電気信号（アナログ画像データ）に変換される。その後、ＣＤＳ３４を経て、Ａ／Ｄ変換器３５に入力され、アナログ画像データがデジタル画像データに変換される。
変換されたデジタル画像データは、デジタル信号処理回路３６で信号処理されて、ＣＰＵバス５４を介してＤＲＡＭ３８に格納される。ＤＲＡＭ３８に格納されたデジタル画像データは、ＣＰＵバス５４を介して圧縮／伸長回路３７に入力され、圧縮処理されて、再び、ＤＲＡＭ３８に格納される。
圧縮処理が終了すると、ＣＰＵ４３は、ＤＲＡＭ３８に格納されている圧縮処理された画像データを、ＣＰＵバス５４を介してメモリカード３９に所定形態で画像データファイルとして記録する。また、この場合、圧縮処理された画像データの画素の一部を或る間隔ごとに間引いて作成したサムネイル画像を同一の画像データファイルとして併せて記録する。
【００１５】
次に、デジタルカメラの画像データの再生動作を説明する。先ず、操作部４４の操作により再生すべきメモリカード３９の画像データファイルを指定する。これにより指定された画像データファイルの圧縮された画像データが読み出されて、ＤＲＡＭ３８に格納される。
このＤＲＡＭ３８に格納された画像データは、ＣＰＵバス５４を介して圧縮／伸長回路３７に入力され、伸長処理されて、再び、ＤＲＡＭ３８に格納される。ＤＲＡＭ３８に格納されかつ伸長処理された画像データは、ＣＰＵバス５４を介してデジタル信号処理回路３６に入力され、ビデオ信号に変換され、そしてＬＣＤ４０に表示される。
【００１６】
続いて、デジタルカメラの音声データの記録動作を説明する。まず、操作部４４の操作により、音声記録モードが選択されると、音声はマイク４８により電気信号に変換されて音声データとなる。
この音声データはアンプ／フィルタ４７により増幅され、必要帯域にカットオフされた後、Ａ／Ｄ変換器５０により所定帯域の２倍以上のサンプリング周波数でデジタル音声データに変換される。
さらに、このデジタル音声データは音声データ圧縮／伸長回路４９により圧縮・符号化処理され、ＣＰＵ４３により、所定形態で音声ファイルとしてメモリカード３９に格納される。
【００１７】
次に、デジタルカメラの音声データの再生動作を説明する。操作部４４の操作により音声再生モードが選択され、再生すべきメモリカード３９の音声データファイルが指定される。
この指定された音声データファイルの圧縮処理された音声データは、ＣＰＵ４３によって、読み出され、かつ音声データ圧縮／伸長回路４９で伸長処理される。さらに、Ａ／Ｄ変換器５０でＡ／Ｄ変換された後、アンプ／フィルタ５１により増幅され、図示されていないスピーカから出力される。
【００１８】
図５はメモリカードのフォーマットの一例を示す図である。このメモリカード３９のフォーマットは、パソコン用のＤＯＳのフォーマットと同一のものとなっている。
メモリカード３９は、図５に示すごとく、デバイス種類、アクセス速度、記憶容量等のカード属性情報が格納されているアトリビュート領域６１と、ブートセレクタ領域６２と、ＦＡＴ（ファイル・アロケイション・テーブル）領域６３と、ディレクトリエントリ領域６４と、画像データファイルを格納する画像データファイル格納領域６５とから構成されている。
ブートセレクタ領域６２には、メモリ―カード３９からデータを読み書きする場合に必要なパラメータ、即ち、ＦＡＴの数、ディレクトリエントリの数等が記録される。
ＦＡＴ領域６３には、各ファイルのデータが記録されている状態の情報であるＦＡＴエントリが書き込まれる。なお、データが記録されているメモリ上の単位は、データの書き込み単位の番号となるクラスタ番号で示されている。
【００１９】
図６はディレクトリエントリ領域に格納されるデータの構成の一例を示す図である。ディレクトリエントリ領域６４には、図６に示すごとく、記録したデータのファイル名、ファイル属性、予約領域、作成／更新時刻、作成更新日付、対応するファイルサイズが記録されている。
又は、ディレクトリエントリ領域６４には、サブディレクトリエントリの物理的位置（ＦＡＴ開始番号）とファイルのサイズについての情報がそれぞれ記録されている。ファイル名としては、対応するものがデータファイルである時には、ファイルの属性情報の１つである拡張子を含むファイル名が記録される。
【００２０】
図７は画像データファイル領域の構成を示す図である。画像データファイル領域６５の構成は図７に示すごとくなっている。即ち、各画像データファイル（例えば、ＲＩＭＧ０００１．ＪＰＧ、ＲＩＭＧ０００２．ＪＰＧ、ＲＩＭＧ０００３．ＪＰＧ、ＲＩＭＧ０００４．ＪＰＧ、・・・）６５ａ、６５ｂ、６５ｃ、６５ｄ、６５ｅは、順次固定長のデータで書き込まれている。
また、画像データファイル６５ａ、６５ｂ、６５ｃ、６５ｄ、６５ｅは、図示のごとく、画像ヘッダと主画像データ、及び当該画像データに対応するサムネイル画像（縮小画像）からなる。画像ヘッダには、ファイル属性、個別規格名称、規格のバージョン、画像データ本体の関連情報等が記録される。
【００２１】
図８は本発明の画像データを記録媒体に格納する動作を説明するためのフローチャートである。次に、本実施の形態の動作について説明する。本実施の形態では、画像データの変形補正処理の一例として、斜めから撮影した被写体を正面から撮影したように補正する斜め補正撮影モードを取り上げる。
斜め補正撮影モードは、通常の撮影モードとは違い、掲示板や展示パネル、名刺、会議場におけるホワイトボードなどを斜めから撮影した際、四角形の画像の歪みを補正し、正面から撮影したようにファイル化するモードである。
図４及び図８を参照して、斜め補正撮影モードにて、ＣＰＵ４３は、まず、レリーズシャッタボタンが押されたかどうかを判断し、押されていれば、ＣＣＤ３３から画像データを取り込む（Ｓ１）。
ホワイトバランス設定やガンマ設定等の信号処理が行なわれた状態の「ＲＡＷ−ＲＧＢ画像データ」をＤＲＡＭ３８上に一時的に保存する。次に、輝度データ・色差データへの変換が行なわれた状態の「ＹＵＶ画像データ」を作成し、ＤＲＡＭ３８上に一時的に保存する。
【００２２】
次に、ＣＰＵ４３は、取り込んだ画像データを正面から撮影したような画像データを作成すべく、斜め補正処理を開始する（Ｓ２）。斜め補正処理が施されると、補正処理後のＹＵＶ画像データが作成されＤＲＡＭ３８に一時的に格納される。
ＪＰＥＧ圧縮処理を施したＪＰＥＧ画像データを、再び、ＤＲＡＭ３８上に格納する（Ｓ３）。その後、ＤＲＡＭ３８上のＪＰＥＧ画像データ（変換後の画像データ）を記録媒体に記録するかどうかを判断する（Ｓ４）。
ここで変換後の画像データは、例えば、ＤＣＦ（カメラファイルシステム設計規格）などによる命名規則を有する再生対象フォルダが既に存在するか否かを判断する（Ｓ５）。再生対象フォルダが既に存在すれば、再生対象フォルダ（例えば、「１００ＲＩＣＯＨ」フォルダ）へ格納する（Ｓ６）。
フォルダが無ければ、カメラが自動的にＤＣＦなどによる命名規則に従って自動的に再生対象フォルダ（例えば、「１００ＲＩＣＯＨ」フォルダ）を作成し（Ｓ８）、変換後の画像データを格納する（Ｓ９）。ＤＣＦ規定によるフォルダ名は、次表のように作成される。
［表１］
規定  ｜フォルダ番号（１００〜９９９）｜  自由文字（５文字）
―――｜―――――――――――――――｜――――――――――
例  ｜            １００            ｜  ＡＢＣＤＥ
なお、本実施の形態のＤＣＦ規定に従い、自動生成されるフォルダ名は、１００ＲＩＣＯＨ、１０１ＲＩＣＯＨ、・・・と命名し、フォルダ番号を最大番号＋１の連番にしている。
【００２３】
次に、斜め補正処理後のＪＰＥＧ画像データの記録が終ると、引き続き撮影時に取り込んだ補正前のＹＵＶ画像データにＪＰＥＧ圧縮を施したＪＰＥＧ画像データを作成し、記録媒体に記録する。
ここで、変換後の画像データを記録媒体に記録しないならば、変換前の画像データは、ＤＣＦなどによる命名規則を持たない、再生対象外のフォルダが既に存在するか否かを判断する（Ｓ７）。再生対象フォルダが既にあれば、再生対象外フォルダ（例えば、「ＴＥＭＰＬＥＴＥ（テンプレート）」フォルダ）へ格納する（Ｓ１０）。
ステップＳ７において、フォルダが無ければ、カメラが自動的にＤＣＦなどによる命名規則を持たない再生対象外のフォルダ（例えば、「ＴＥＭＰＬＥＴＥ（テンプレート）」フォルダ）を自動的に作成し（Ｓ１１）、変換前の画像データを格納する（Ｓ１２）。
【００２４】
勿論、変換前の画像データを、変換後の画像データ格納フォルダとは異なるＤＣＦなどによって命名規則による再生対象フォルダを生成することにより、再生対象ファイルとして画像データを格納することも可能である。
また、画像データを格納する際のファイル名は、フォルダ名同様、ＤＣＦ規定によるファイル名が自動生成される。ＤＣＦ規定によるファイル名は、次のように作成される。
［表２］
規定  ｜  自由文字（５文字）｜ファイル番号（０００１〜９９９９）
―――｜――――――――――｜―――――――――――――――――
例  ｜      ＡＢＣＤ      ｜  ０００１
なお、本実施の形態では、ファイル名は、例えば、ＲＩＭＧ０００１．ＪＰＧ、ＲＩＭＧ０００２．ＪＰＧ、・・・と命名し、ファイル番号を最大番号の＋１の連番にしている。
ここで、変換後と変換前のファイル名を同一のファイル名で格納しても良い（例えば、両画像データともに「ＲＩＭＧ０００１．ＪＰＧ」）。そうすることで、例えば、画像データを外部装置にフォルダ毎移動させた場合でも、変換前と変換後の画像データの検索・比較を容易に行うことができる。
【００２５】
また、画像データを外部装置の同一のフォルダに移動させた場合でも、変換前と変換後の画像データの検索・比較を容易に行うことができるように、ファイル番号には同じ番号を付して、ファイル名の自由文字の一部を異ならせてもよい。
例えば、変換後の画像データのファイル名を、「ＡＩＭＧ０００１．ＪＰＧ、ＡＩＭＧ０００２．ＪＰＧ、・・・」とし、変換前の画像データのファイル名を、「ＢＩＭＧ０００１．ＪＰＧ、ＢＩＭＧ０００２．ＪＰＧ、・・・」とする。
そうすることで、例えば、画像データを外部装置の同一のフォルダに移動させた場合でも、変換前後の画像データの対応付けが一目で分かり、変換前と変換後の画像データの検索・比較を容易に行うことができる。
また、変換後の画像データが格納されているフォルダを、画像処理装置の再生機能において、再生対象外のフォルダとすることもできる。このようにすれば、例えば、それほど重要視しない補正前の画像データを再生対象としていないので、画像処理装置での変換後の画像データの検索が容易に行うことができる。
【図面の簡単な説明】
【００２６】
【図１】本発明の実施の形態である画像撮影装置としてデジタルカメラを示す前面概略図である。
【図２】図１のデジタルカメラを背面からみた概略図である。
【図３】図１のデジタルカメラを上部から見た概略図である。
【図４】本発明の実施の形態であるデジタルカメラの装置システムを示すブロック図である。
【図５】メモリカードのフォーマットの一例を示す図である。
【図６】ディレクトリエントリ領域に格納されるデータの構成の一例を示す図である。
【図７】画像データファイル領域の構成を示す図である。
【図８】本発明の画像データを記録媒体に格納する動作を説明するためのフローチャートである。
【符号の説明】
【００２７】
Ａ  デジタルカメラ、３３  撮像手段（ＣＣＤ）、３６  画像補正手段（デジタル信号処理回路）、３７  画像補正手段（画像圧縮／伸長回路）、３８  記録媒体（ＤＲＡＭ）、３９  記録媒体（メモリカード）、４３  記録制御手段（ＣＰＵ）、６５  画像データファイル領域、６５ａ  画像データファイル
【図１】
2008099147.tif 000003
【図２】
2008099147.tif 000004
【図３】
2008099147.tif 000005
【図４】
2008099147.tif 000006
【図５】
2008099147.tif 000007
【図６】
2008099147.tif 000008
【図７】
2008099147.tif 000009
【図８】
2008099147.tif 000010